(57)【要約】【課題】高遮断容量ヒューズは、可溶体の周囲に粒状の消弧剤を充填し、また可溶体に狭隘部を設け遮断性能を確保するのが一般的であるが、消弧剤が粒状故に充填作業が難しく、またその粒度の管理や筒内への充填密度の違いが消弧性能に大きなバラツキを生じさせ遮断特性が不安定となる問題や、狭隘部を設けた可溶体は、その狭隘部が耐久性を低下させる問題がある。【解決手段】硫酸カルシウムから成り可溶体外周に接触する細溝と細溝に比べ数倍以上の大きな径を有し幅の狭い半円筒空間を複数個形成した二つ割構造の容器に断面積が一様な可溶体を挟み収納する。【選択図】図１
2014044924.tif 000002
【特許請求の範囲】
【請求項１】
断面積が全長において一様な可溶体を絶縁材料から成り前記可溶体外周に接触する細溝と前記細溝に比べ数倍以上の大きな径を有し幅の狭い半円筒空間が複数個形成された二つ割構造の容器に挟み込んだことを特徴とする高遮断容量ヒューズ。
【請求項２】
容器が硫酸カルシウムから成ることを特徴とする請求項１記載の高遮断容量ヒューズ。
【請求項３】
曲線形状を成し断面積が全長において一様な可溶体と前記可溶体形状に沿い接触する細溝が形成された容器に挟み込んだことを特徴とする請求項１乃至請求項２記載の高遮断容量ヒューズ。
【請求項４】
可溶体を挟み込んだ容器を外筒に収納したことを特徴とする請求項１乃至請求項３記載の高遮断容量ヒューズ。
【発明の詳細な説明】
【技術分野】
【０００１】  本考案は電流ヒューズに関するもので、特に大電流の遮断を必要とする高遮断容量ヒューズの改良に関するものである。
【背景技術】
【０００２】  従来、高遮断容量ヒューズとして、遮断性能を確保するため金属平板を打ち抜き加工により断面積を部分的に小さくした狭隘部を設けた可溶体と、その周囲を粒状の消弧剤を充填する或いは粒状の消弧剤を可溶体の形にプレスにより押し固めたもので挟み込むことにより、短絡電流で可溶体が溶断、発弧する際、可溶体の狭隘部で限流効果を持たせるとともにアークによる発熱を消弧剤で吸熱、冷却させ、アークの広がりを抑えるとともにアーク抵抗を高めアーク電流を減少させる限流効果で遮断を完了させる例えば、特許文献１のヒューズが知られている。
【先行技術文献】
【特許文献】
【０００３】
【特許文献１】特開２０１０−２５７８３６号公報
【発明の概要】
【発明が解決しようとする課題】
【０００４】  特許文献１は、従来の消弧剤を充填するヒューズが、可溶体を端子間に架張後、消弧剤を充填しプレスで押し固めることにより可溶体に負荷が加わり歪みを生じ信頼性を損なう問題を持つのに対し、予め粒状の消弧剤をプレスにより押し固めたもので可溶体を挟み込むものであるが、可溶体に限流効果のため設けた狭隘部は、通常使用状態での電流の通電と休止の繰返しによる熱膨張と収縮による応力が集中し、長期耐久性に問題があった。【０００５】  本発明は、このような問題に対し、可溶体の周囲を粒状の消弧剤で充填することなく、消弧剤と同じような遮断効果を有する容器で断面積が全長において一様な可溶体を挟み込むことにより信頼性の高い高遮断容量ヒューズを提供することを目的とする。
【課題を解決するための手段】
【０００６】  請求項１に記載された発明は、断面積が全長において一様な可溶体を絶縁材料から成り前記可溶体外周に接触する細溝と前記細溝に比べ数倍以上の大きな径を有し幅の狭い半円筒空間が複数個形成された二つ割構造の容器に挟み込んだ高遮断容量ヒューズである。【０００７】  請求項２に記載された発明は、請求項１記載の高遮断容量ヒューズにおいて、容器が硫酸カルシウムから成る高遮断容量ヒューズである。【０００８】  請求項３に記載された発明は、請求項１及び請求項２記載の高遮断容量ヒューズにおいて、曲線形状を成し断面積が全長において一様な可溶体を前記可溶体形状に沿い接触する細溝が形成された容器に挟み込んだ高遮断容量ヒューズである。【０００９】  請求項４に記載された発明は、請求項１及び請求項３記載の高遮断容量ヒューズにおいて可溶体を挟み込んだ容器を外筒に収納した高遮断容量ヒューズである。
【発明の効果】
【００１０】  本発明によれば、可溶体として強度的に弱点となる狭隘部がなく、全長において断面積が一様な可溶体により通常使用状態での電流の通電と休止の繰返しに対する長期耐久性を確保できる効果を有する。【００１１】  また可溶体外周に接触する細溝と、この細溝に比べ数倍以上の大きな径を有する幅の狭い円筒空間を複数個形成した絶縁材料である硫酸カルシウムから成る二つ割構造の容器に可溶体を挟み込むことにより、大きな短絡電流が流れた際、可溶体に接する細溝部分では含水率として約１９ｗｔ％を有する硫酸カルシウムの優れた吸熱、冷却効果でアーク抵抗を高めアークの成長を抑える効果がある。【００１２】  さらに二つ割構造の容器を合わせることにより形成される径が大きく幅の狭い円筒空間では金属蒸気を飛散、吸着し、金属蒸気密度を下げ、アークの成長を抑えるとともに絶縁抵抗を高め遮断させる効果を有する。【００１３】  また過負荷電流のような比較的小さな電流では、消弧剤が可溶体の全周を取り囲んでいる従来のヒューズでは、可溶体の中央部分から溶融が始まり、金属蒸気化するものの、金属蒸気は消弧剤に阻まれ周囲に飛散出来ず、アークが端子方向に向かい徐々に広がっていく過程をたどるため、アーク抵抗が急激に高まらずアーク時間が長くなり、その結果アークエネルギーが大きなものとなり、過負荷電流のような比較的小さな電流での遮断が難しいものとなるが、本発明の高遮断容量ヒューズは、細溝に比べ数倍以上の大きな径を有する幅の狭い複数の円筒空間で可溶体が溶融、蒸気化し、溶断間隔を広げることにより、すばやくアーク抵抗を高め、遮断を完了させることが出来る効果を有する。【００１４】  また消弧剤を使用した従来のヒューズが粒状故に充填作業が難しく、またその粒度の管理や筒内への充填密度の違いが消弧性能に大きなバラツキを生じさせ遮断特性が不安定となる問題があったが、本発明によれば硫酸カルシウムを水で液状としたものを細溝とその間にある幅の狭い半円筒空間を作り出す雄型に流し込むことで、充填密度の違いを生じることなく室温において数分で固形化し、特許文献１のような焼成工程を必要とせず焼き縮みを生じることなく安定した二つ割構造の容器を容易に得られ遮断特性も安定する効果がある。
【図面の簡単な説明】
【００１５】
【図１】本発明の実施形態に係る部品分解斜視図である。
【図２】本発明の別の実施形態に係る部品分解斜視図である。
【図３】本発明のさらに別の実施形態に係る部品分解斜視図である。
【図４】本発明の図３の縦断面図である。
【図５】本発明のさらに別の実施形態に係る部品分解斜視図である。
【図６】本発明の図５の実施形態に係る縦断面である。
【図７】本発明の高遮断容量ヒューズの遮断試験を行った電源電圧、電流、端子間電圧波形図である。
【図８】比較のため実施した消弧剤入りヒューズの遮断試験を行った電源電圧、電流、端子間電圧波形図である。
【図９】比較のため本発明の高遮断容量ヒューズで円筒空間がない場合の遮断試験を行った電源電圧、電流、端子間電圧波形図である。
【発明を実施するための形態】
【００１６】  図１から図９に基づき本発明の高遮断容量ヒューズについて説明すると図中１は断面積が全長において一様な可溶体であり、２ａ、２ｂは容器で、この内部に可溶体１に接触する幅の細溝３と細溝３に比して数倍以上の径で幅の短い半円筒空間４が成形されており、容器２ａ、２ｂは図１に示すように一対を成し、容器２ａ、２ｂを上下で合わせ固着することにより細長空間と細長空間より数倍径が大きく幅の狭い円筒空間を形成する。
【００１７】  可溶体１は容器２ａ、２ｂの造る細溝空間に挟まれ、容器両端に固着される口金端子５の端面穴６から引き出し、口金端子５にはんだ８或いは溶接により接続される。
【００１８】  また図２に示すように容器平面部の長手方向縁に一方は凹部２ｃ、もう一方は凸部２ｄを形成することもある。
【００１９】  さらに図３、図４に示すように容器２ａ、２ｂを外筒７に収納後、外筒７両端に固着される口金端子５の端面穴６から引き出し、口金端子５にはんだ８或いは溶接により接続することもある。
【００２０】  また図５、図６に示すように可溶体１は断面積が全長において一様であるものの、曲線状に成形するとともに、容器細溝３を可溶体に沿うよう曲線状に成形することもある。
【００２１】  実際にＩＥＣ  ６０１２７−２の高遮断容量試験の条件ＡＣ２５０Ｖ  １，５００Ａ（力率０．７〜０．８）において定格電流６．３Ａの本発明の高遮断容量ヒューズ（材質が硫酸カルシウムで細溝幅０．５ｍｍ、径２．５ｍｍで幅１ｍｍの円筒空間を７個成形した容器で径５．２ｍｍ長さ２０ｍｍサイズのヒューズに組み上げたもの）と、比較のため消弧剤を充填した従来のヒューズ（径５．２ｍｍ長さ２０ｍｍサイズのヒューズ）との遮断波形比較を行った結果、本発明の高遮断容量ヒューズの遮断波形図７、従来のヒューズの遮断波形図８のように同じような遮断波形となり、同じ効果が得られることを確認した。
【００２２】  なお前記本発明の高遮断容量ヒューズで円筒空間がない場合は図９の遮断波形のようにアーク電流が図７のように速やかに減衰することなくアークが成長する危険を有した波形となり、安全且つ確実な遮断達成のため円筒空間が重要な役割を成すことを確認した。
【産業上の利用可能性】
【００２３】  本発明の高遮断容量ヒューズは、長期使用における信頼性と高遮断容量を必要とする電気、電子機器に利用可能である。
【符合の説明】
【００２４】１        可溶体
２ａ２ｂ  容器
２ｃ      凹付容器
２ｄ      凸付容器
３        細溝
４        円筒空間
５        口金端子
６        口金端子端面穴
７        外筒
８        はんだ
【図１】
2014044924.tif 000003
【図２】
2014044924.tif 000004
【図３】
2014044924.tif 000005
【図４】
2014044924.tif 000006
【図５】
2014044924.tif 000007
【図６】
2014044924.tif 000008
【図７】
2014044924.tif 000009
【図８】
2014044924.tif 000010
【図９】
2014044924.tif 000011